(57)【要約】【課題】新設屋根にも既設屋根にも適用でき、施工する屋根の形式を限定することもなく、屋根面の一部に太陽エネルギー変換モジュールを導入した太陽エネルギー変換モジュール一体型外装構造の排水構造を提供する。【解決手段】本発明は、太陽エネルギー変換モジュール一体型外装構造の排水構造であって、太陽エネルギー変換モジュール一体型外装構造内に形成した排水部７１Ａの水下端部又は該排水部と接続した排水用接続部材の水下端部を、水下側に隣接する外装構造の最水上側に位置する外装材９上に配設することを特徴とする。【選択図】図１
2010236270.tif 000002
【特許請求の範囲】
【請求項１】
太陽エネルギー変換モジュール一体型外装構造の排水構造であって、
太陽エネルギー変換モジュール一体型外装構造内に形成した排水部の水下端部又は該排水部と接続した排水用接続部材の水下端部を、水下側に隣接する外装構造の最水上側に位置する外装材上に配設することを特徴とする太陽エネルギー変換モジュール一体型外装構造の排水構造。
【請求項２】
排水部は、太陽エネルギー変換モジュールの側縁に流れ方向に設けた排水部材又は縦支持部材に設けられ、該排水部を下地面より高く位置させていること特徴とする請求項１に記載の太陽エネルギー変換モジュール一体型外装構造の排水構造。
【請求項３】
排水部は、太陽エネルギー変換モジュール一体型外装構造の下地表面に敷設した防水シートであり、該防水シートの水下側の端縁を持ち上げて最水上側に位置する外装材上に沿わせていることを特徴とする請求項１又は２に記載の太陽エネルギー変換モジュール一体型外装構造の排水構造。
【発明の詳細な説明】
【技術分野】
【０００１】
本発明は、新設屋根にも既設屋根にも適用でき、施工する屋根の形式を限定することもなく、屋根面の一部に太陽エネルギー変換モジュールを導入した太陽エネルギー変換モジュール一体型外装構造の排水構造に関する。
【背景技術】
【０００２】
光エネルギーを電気エネルギーに変換する太陽光発電は、クリーンエネルギーを得る手段として幅広い利用が期待され、近年、建築物の屋根、壁等に適用されるようになり、生活に必要な電力を補うシステムとして実用化されている。
【０００３】
太陽電池等の太陽エネルギー変換モジュールを屋根に設置する方法としては、横葺き式の外装パネルに太陽電池を組み付け、この外装パネルを用いた屋根構造が多く提案されているが、特許文献１に記載されるような縦葺き式の外装パネルに太陽電池を組み付け、この外装パネルを用いた屋根構造も提案されている。
この特許文献１は、太陽電池の裏面にて様々な理由で発生した水を水抜き孔から排出して水流れ方向に沿う排水部材から流下させるものである。
【先行技術文献】
【特許文献】
【０００４】
【特許文献１】特開２００７−３３２７７４号公報
【発明の概要】
【発明が解決しようとする課題】
【０００５】
しかしながら、前記特許文献１は、外装パネル自体の排水を目的としたものであって、屋根面全体の排水については、専ら排水部材にたよるものであった。
そのため、例えば排水部材に雨水が導かれるような形式（寸法）の屋根に限定され、全面改修を余儀なくされることがあった。
【０００６】
また、近年では、屋根面の一部のみに太陽エネルギー変換モジュールを導入するケースが増加しており、結果的に一つの屋根面を、太陽エネルギー変換モジュールを備える外装面と備えない外装面とで構成されることが多くなってきている。
【０００７】
そこで、本発明は、新設屋根にも既設屋根にも適用でき、施工する屋根の形式を限定することもなく、各種の屋根面の一部に太陽エネルギー変換モジュールを導入することができる太陽エネルギー変換モジュール一体型外装構造の排水構造を提供することを目的とする。
【課題を解決するための手段】
【０００８】
本発明は、上記に鑑み提案されたもので、太陽エネルギー変換モジュール一体型外装構造の排水構造であって、太陽エネルギー変換モジュール一体型外装構造内に形成した排水部の水下端部又は該排水部と接続した排水用接続部材の水下端部を、水下側に隣接する外装構造の最水上側に位置する外装材上に配設することを特徴とする太陽エネルギー変換モジュール一体型外装構造の排水構造に関するものである。
【０００９】
また、本発明は、前記排水構造において、排水部は、太陽エネルギー変換モジュールの側縁に流れ方向に設けた縦支持材に設けられ、該排水部を下地面より高く位置させていること特徴とする太陽エネルギー変換モジュール一体型外装構造の排水構造をも提案するものである。
【００１０】
さらに、本発明は、前記排水構造において、排水部は、太陽エネルギー変換モジュール一体型外装構造の下地表面に敷設した防水シートであり、該防水シートの水下側の端縁を持ち上げて最水上側に位置する外装材上に沿わせることを特徴とする太陽エネルギー変換モジュール一体型外装構造の排水構造をも提案するものである。
【発明の効果】
【００１１】
本発明の太陽エネルギー変換モジュール一体型外装構造の排水構造は、排水部の水下端部又は該排水部と接続した排水用接続部材の水下端部を、水下側に隣接する外装構造の最水上側に位置する外装材上に配設するので、排水部を流下する雨水等を確実に水下側に隣接する外装構造に導くことができる。
【００１２】
また、排水部は、太陽エネルギー変換モジュールの側縁に流れ方向に設けた縦支持材に設けられ、該排水部を下地面より高く位置させている場合には、下地面と排水部との間（空間）に外装材を容易に配設することができ、雨水を縦支持材の排水部から、外装材の表面に導いて流下させることができる。
【００１３】
さらに、排水部は、太陽エネルギー変換モジュール一体型外装構造の下地表面に敷設した防水シートである場合には、水下側の端縁を持ち上げて最水上側に位置する外装材上に沿わせることにより、雨水を防水シートから外装材の表面に導いて流下させることができる。そして、この態様は、例えば前記排水部を下地面より高く位置させる場合と容易に併用することができるため、第二排水部として二重の雨仕舞い構造を果たすことができる。
【図面の簡単な説明】
【００１４】
【図１】（ａ）本発明の排水構造の一実施例を示す側断面図、（ｂ）その正断面図である。
【図２】（ａ）本発明の排水構造の他の一実施例を示す側断面図、（ｂ）その正断面図である。
【図３】（ａ）本発明の排水構造の他の一実施例を示す側断面図、（ｂ）その正断面図、（ｃ）左右方向の接続部分を拡大して示す正断面図である。
【図４】（ａ）本発明の排水構造の他の一実施例を示す側断面図、（ｂ）その正断面図である。
【図５】（ａ）本発明の排水構造の他の一実施例を示す側断面図、（ｂ）その正断面図、（ｃ）左右方向の接続部分を拡大して示す正断面図である。
【図６】（ａ）本発明の排水構造の他の一実施例を示す側断面図、（ｂ）その正断面図である。
【発明を実施するための形態】
【００１５】
本発明の太陽エネルギー変換モジュール一体型外装構造の排水構造は、太陽エネルギー変換モジュール一体型外装構造内に形成した排水部の水下端部又は該排水部と接続した排水用接続部材の水下端部を、水下側に隣接する外装構造の最水上側に位置する外装材上に配設するものである。
【００１６】
前記太陽エネルギー変換モジュール一体型外装構造内に形成した排水部は、一つに限るものではなく、二つ以上設けていてもよく、例えば流れ方向に連続する樋状の排水部材、又は縦支持材やフレームなどに設けてもよいし、屋根下地上に防水シートを敷設して略平面状の排水部としてもよい。
特に前者の場合は、排水部を下地面より高く位置させることにより、下地面と排水部との間（空間）に最水上側に位置する外装材を容易に配設することができる。
なお、流れ方向に連続して配される排水部（材）に対し、左右方向に配する部材を「流水部材」として区別する。
【００１７】
前記排水部を下地面より高く位置させて下地面と排水部との間に空間を形成する場合には、太陽エネルギー変換モジュールの配線ケーブルを通す空間としても利用することができ、左右方向に隣接するパネル材の太陽エネルギー変換モジュールのケーブルを容易に接続することができる。
この態様における排水部材の裏面側には、空間を確保するために、受座部材を介在させる。この受座部材は、ピース材でもよく、下地への固定部と、その上側に配する排水部材を支持する支持部とを有するものであれば、特にその構成及び形状を限定するものではない。
また、この態様における（排水部を備える）縦支持材やフレームなどは、排水部の裏面側に空間を確保するために、前記受座部材を介在させてもよいし、脚部を備えるようにしてもよい。この脚部は、その下端が下地への固定部である。
そして、これらの受座部材や脚部により確保される裏面側の空間は、対象となる屋根面（外装面）に隣接して太陽電池を備えない屋根材や屋根パネルが配設される際に、最も水上側に位置する屋根材又は屋根パネルを水下側から配設可能な高さであればよく、さらに太陽エネルギー変換モジュールのケーブルが通る高さを備えるものがより好ましい。
【００１８】
なお、排水部の水下端部を、水下側に隣接する外装材上に配設することができない場合には、後述する図示実施例（図５）に示すように、前記排水部と接続した排水用接続部材の水下端部を、水下側に隣接する外装材上に配設すればよい。
【００１９】
前記太陽エネルギー変換モジュール（以下、太陽電池という）一体型外装構造については、何等限定されるものではなく、例えば公知の金属製の縦葺き外装材の面板部に太陽電池を積層状に一体化させたものでも、後述する図示実施例のように流れ方向に長尺な太陽電池の周縁に樹脂成形材等からなる側縁キャップを一体化し、その周縁を支持材などのフレーム材を用いて取り囲むようにしたものでもよい。
前記太陽電池としては、多結晶，単結晶，アモルファス等、どのようなものを用いてもよい。一般的に太陽電池は、導電性基体、裏面反射層、光電変換部材としての半導体層、透明導電層から構成され、上記導電性基体としては、例えば鋼板、銅、チタン、アルミニウム、ステンレス、カーボンシートを用いることができ、その他にも導電層が設けられたポリエステル、ポリイミド、ポリエチレンナフタライド、エポキシ等の樹脂フィルムやセラミックス等を用いることもできる。前記半導体層は特に限定するものではなく、アモルファスシリコン半導体、多結晶シリコン半導体、結晶シリコン半導体、銅インジウムセレナイド等の化合物半導体を用いることができる。例えば近年提案された可撓性を有するアモルファスシリコン太陽電池は極めて薄肉で軽量であるため好ましい。
【００２０】
このように本発明の排水構造は、排水部の水下端部又は該排水部と接続した排水用接続部材の水下端部を、水下側に隣接する外装構造の最水上側に位置する外装材上に沿わせるので、排水部を流下する雨水等を確実に水下側に隣接する外装構造に導くことができ、その取り合い部分が特殊な構造になることなく納めることができる。
【実施例１】
【００２１】
図１に示す排水構造は、流れ方向に連続する排水部材７Ａの裏面側に受座部材５Ａを配して空間Ｏを確保し、該空間Ｏに、水下側に隣接する外装構造の最水上側に位置する外装材（パネル９）を容易に位置させることができ、雨水を排水部材７Ａの排水部７１Ａから、パネル９の表面に導いて流下させることができる。
【００２２】
まず、この外装構造を形成する太陽エネルギー変換モジュール（以下、太陽電池という）を備えるパネル材は、太陽電池１０の端縁に、略コ字状のキャップが取り付けられている。
【００２３】
前記パネル材１Ａ，１Ａの流れ方向の端縁間に配される横支持材３Ａは、左右方向に沿う浅樋状の流水部３１Ａ，３１Ａを備え、該流水部３１Ａの底面から隆起する隆起部の上方にパネル材１Ａ，１Ａの流れ方向の側縁が嵌合する嵌合溝が設けられ、水上側の流水部３１Ａには固定具３１１が打ち込まれて固定部を兼ねており、水下側の流水部３１Ａにはパネル材１Ａの底面を支持する弾性材３３が配設されている。
この横支持材３Ａは、パネル材１Ａの左右方向の寸法と略等しい定尺材であり、略左右対称のフレーム材であって、例えばアルミ押出型材などからなる。
【００２４】
前記パネル材１Ａ，１Ａの左右方向の端縁間に配される縦支持材８Ａは、通し材でもピース材でもよく、略中央に略Ｕ字状の連結部８１を備え、該連結部８１の底面から立ち上がる起立部の上方にパネル材１Ａ，１Ａの左右の側縁を支持するパネル支持部８２，８２が設けられ、該パネル支持部８２，８２の外側下方に前記横支持材３Ａ，３Ａを支持する連結支持部８３，８３（図中８３１は固定具）がフランジ状に設けられ、さらに前記起立部に左右一対の楔状の連結部が設けられ、後述するカバー材６Ａが弾性嵌合により取り付けられる構成である。
【００２５】
この実施例に用いられる排水部材７Ａは、流れ方向に連続する通し材であり、排水部Ａの底面の略中央に上方に隆起する隆起部７２が設けられ、該隆起部７２の頂部の上面側に縦支持部材８Ａを、下面側に受座部材５Ａを配して固定具８５にて一連に固定している。
【００２６】
前記排水部材７Ａの裏面側に配される受座部材５Ａは、断面略角山形のピース材であり、排水部材７Ａを支持する座台状の支持部の左右に下地４への固定部（図中５１は固定具）が設けられ、前記支持部の略中央に前記排水部材７Ａの隆起部７２の裏面側に嵌る隆状支持部が設けられている。
【００２７】
前記カバー材６Ａは、流れ方向に連続する通し材であって、略左右対称のフレーム材であり、略中央に設けた垂下片を前記縦支持材８Ａに設けた連結部と弾性嵌合して固定している。また、このカバー材６Ａと太陽電池１０の端縁の略コ字状のキャップ１１との間には、シール材を充填して雨水の浸入を阻止するようにしている。
【００２８】
これらの各部材から構成される外装構造の水下側には、太陽エネルギー変換モジュールを備えない外装構造（以下、一般構造という）が隣接している。なお、図１（ｂ）の右方側に位置する一般構造では、縦支持材８Ａの右側の構成をその取付けに利用しているため、左側では連結支持部８３として作用した部位が桁端金具９ｂの固定箇所として利用されているので、図面に符号８６（固定具８６１）を付して区別した。
【００２９】
前記一般構造は、図１（ｂ）の右方側に示すように、下地４上に捨板９ａが敷かれた上にパネル９が載置され、縦支持材８Ａの連結支持部８６に桁端金具９ｂを取付け、該桁端金具９ｂ及びパネル９の端部表面を覆うように覆い材９ｃを取り付けてビス等の固定具にて止め付けて雨水の浸入を防止する構造である。
このように左右方向に隣接する本発明における外装構造と前記一般構造とは、縦支持材８Ａを介して容易に接続することができる。
【００３０】
また、前記流れ方向に隣接する本発明における外装構造と前記一般構造とは、図１（ａ）に示すように横支持材３Ａを介して容易に接続できる。
すなわち、前述のように排水部材７Ａの裏面側には、最上段のパネル９を配設するための空間が形成されているので、なお、パネル９同士の配設は、敷設手順を限定するものではないが、下段のパネル９の表面に、上端のパネル９の水下側の端部が載置されるように配設すればよい。
そして、横支持材３Ａの水下側の流水部３１Ａに軒先金具９ｄをビス等の固定具で取付け、該軒先金具９ｄ及びパネル９の端部表面に沿うように覆い材９ｅを取り付けて雨水の浸入を防止する。
また、図示実施例では、野地材からなる屋根下地４上にその表面を覆うように防水シート４１が隙間なく敷設されている。
【００３１】
そして、これらの各部材からなる図１の排水構造は、排水部材７Ａの排水部７１Ａが受座部材５Ａにより下地面４より高く位置させているので、この下地面４と排水部７１Ａとの間の空間Ｏに最水上側に位置するパネル９を容易に位置させることができる。すなわち排水部７１Ａの水下端部を、水下側に隣接する水上側に位置するパネル９上に沿わせるので、排水部７１Ａを流下する雨水等を確実に水下側に隣接する外装構造に導くことができる。
【００３２】
また、前記空間Ｏは、図示しないケーブルを通すための空間としても利用でき、左右方向に隣接するパネル材１Ａ，１Ａの太陽電池１０のケーブルを容易に接続することができる。
【００３３】
図２に示す排水構造では、排水部材を用いずに、流れ方向に連続する排水部８７Ｂを、前記パネル材１Ｂ，１Ｂの左右方向の端縁を嵌め付けられるフレーム材を兼ねる縦支持材８Ｂに設けた例である。そのため、前記図１の実施例と同様に、排水部８７Ｂは下地面４より高く位置しており、下地面４と排水部８７Ｂとの間の空間Ｏには、最水上側に位置するパネル９を容易に位置させることができる。
【００３４】
そして、パネル材１Ｂ，１Ｂの左右方向の接続は、流れ方向に連続する縦支持材８Ｂに対して左右から突き合わせるように接続するため、一面状にパネル材１Ｂ，１Ｂが接続されている。
また、パネル材１Ｂ，１Ｂの流れ方向の接続は、水上方向が開放する上方溝部３２と水下方向が開放する下方溝部３４とを備える横支持材３Ｂを用いて接続され、その水上側にのみ設けられる流水部３１Ｂは、前記縦支持材８Ｂの排水部８７Ｂに連絡されている。
そして、逆ハット状の垂木である受座部材５Ｂにより、前記横支持材３Ｂを下地面４より高い位置に保持し、間接的に前記縦支持材８Ｂに設けられる排水部８７Ｂを下地面４より高い位置に保持している。なお、５２は、前記受座部材５Ｂを下地４上に固定する固定具、５３は、前記横支持材３Ｂを固定する固定具である。
【００３５】
なお、図示実施例では、パネル材１Ｂの端縁を前記上方溝部３２や前記下方溝部３４に嵌め付ける際にパッキン材を介して取り付けた。
また、図２（ｂ）の右方側に位置する一般構造では、下地４上に捨板９ｈが敷かれた上にパネル９が載置され、縦支持材８Ｂに桁端金具９ｉを取付け、該桁端金具９ｉ及びパネル９の端部表面を覆うように覆い材９ｊを取り付けてビス等の固定具にて止め付けて雨水の浸入を防止する構造である。
また、図示実施例では、野地材からなる屋根下地４上に流れ方向に沿う縦桟材（垂木）５Ａが所定間隔にて固定され、この縦桟材５Ａを含めて屋根下地４の表面を覆うように防水シート４１が隙間なく敷設されている。
【００３６】
また、図２（ａ）の左方側（水下側）に隣接する一般構造とは、前述のように下地面４と排水部８７Ｂとの間の空間Ｏに、最水上側のパネル９が配設されて位置し、防水シート４１を流れる雨水をパネル９上に導くことができ、この一般構造の屋根面に沿って水下側へ流下させることができる。
なお、図示実施例では、横支持材３Ｂの水下側に軒先金具９ｆをビス等の固定具で取付け、該軒先金具９ｆ及びパネル９の端部表面に沿うように覆い材９ｇを取り付けて雨水の浸入を防止している。
【００３７】
そして、これらの各部材からなる図２の排水構造は、縦支持材８Ｂの排水部８７Ｂが垂木である受座部材５Ｂにより下地面４より高く位置させているので、この下地面４と排水部８７Ｂとの間の空間Ｏに最水上側に位置するパネル９を容易に配設して位置させることができる。すなわち排水部８７Ｂの水下端部を、水下側に隣接する水上側に位置するパネル９上に沿わせるので、排水部８７Ｂを流下する雨水等を確実に水下側に隣接する外装構造に導くことができる。
また、前記空間Ｏは、図示しないケーブルを通すための空間としても利用でき、左右方向に隣接するパネル材１Ｂ，１Ｂの太陽電池１０のケーブルを容易に接続することができる。
【００３８】
図３に示す排水構造では、排水部４２が下地４表面に敷設された防水シート４１により形成される例であって、防水シート４１の水下側の端縁を持ち上げて最水上側に位置するパネル９上に沿わせることにより、雨水を防水シート４１からパネル９の表面に導いて流下させることができる。
この図示実施例では、野地材からなる屋根下地４上に流れ方向に沿う縦桟材（垂木）５Ｃが所定間隔にて固定され、この縦桟材２を含めて屋根下地４の表面を覆うように防水シート４１が隙間なく敷設されているので、排水部４２は、縦桟材５Ｃ，５Ｃ間の防水シート４１上に形成される。
【００３９】
また、図示実施例における太陽電池１０を一体的に備えるパネル材１Ｃは、太陽電池１０の端縁に略コ字状のシール材が取り付けられる構成である。
このパネル材１Ｃの左右方向の接続は、図３（ｃ）に示すように略Ｈ型のジョイント材１３に対して左右から突き合わせるように接続するため、一面状にパネル材１Ｃ，１Ｃが接続されている。
また、前記図２の実施例において用いた横支持材３Ｂとほぼ同様の構成を有する横支持材３Ｃにて接続し、前記上方溝部３２に水上側のパネル材１Ｃの水下側の端部を嵌め込み、前記下方溝部３４に水下側のパネル材１Ｃ水上側の端部を嵌め込むため、段状にパネル材１Ｃ，１Ｃが接続されている。
前記ジョイント材１３や横支持材３Ｃは、例えばアルミの押出成形品でもよいし、ＦＲＰ等の合成樹脂の成形品でもよく、特にその材質等を限定するものではない。
【００４０】
さらに、図示実施例では、前記縦桟材５Ｃ上に、前記構成のパネル材１Ｃを支持させるが、厳密にはパネル材１Ｃの流れ方向の端縁に取り付けられた前記横支持材３Ｃを縦桟材５Ｃの上面に載置して固定具３５を打ち付けて固定しており、太陽電池１０自体が縦桟材５Ｃと接触して摩擦等により損傷を受けるようなことはない。
【００４１】
また、図３（ｂ）の右方側に位置する一般構造は、下地４上に捨板９ｋが敷かれた上に平板状のパネル９が載置され、前記横支持材３Ｃの底面及び側面に沿う桁端金具９ｌを取付け、該桁端金具９ｌ及びパネル９の端部表面を覆うように覆い材９ｍを取り付けて雨水の浸入を防止する構造である。なお、図中、９ｎは覆い材９ｍを桁端金具９ｌに固定するための面戸である。
【００４２】
また、図３（ａ）の左方側（水下側）に隣接する一般構造とは、前記屋根下地４の表面を覆う防水シート４１の水下側の端縁を持ち上げて、一般構造部分では最も水上側に位置するパネル９上に沿わせることにより、防水シート４１を流れる雨水を一般構造におけるパネル９上に導くことができ、この一般構造の屋根面に沿って水下側へ流下させることができる。
なお、図示実施例では、横支持材３Ｃの裏面側に覆い材９ｏを取付け、該覆い材９ｏが一般構造部分では最も水上側に位置するパネル９上に沿うように取り付けて雨水の浸入を防止している。
【００４３】
そして、これらの各部材からなる図３の排水構造は、防水シート４１にて形成される排水部４２が形成され、この防水シート４１の水下側の端縁を持ち上げて最水上側に位置するパネル９を容易に位置させることができる。すなわち排水部４２の水下端部を、水下側に隣接する水上側に位置するパネル９上に沿わせるので、排水部４２を流下する雨水等を確実に水下側に隣接する外装構造に導くことができる。
【００４４】
図４に示す排水構造では、前記図２の実施例と、前記図３の実施例との排水特性を併せ備えるものであり、前記図２の実施例と同様に、流れ方向に連続する排水部８７Ｄを、パネル材１Ｄ，１Ｄの左右方向の端縁を嵌め付けるフレーム材を兼ねる縦支持材８Ｄに設けた例であり、しかも前記図３の実施例と同様に、下地４表面に敷設された防水シート４１により排水部が形成される例でもあり、二重の排水（防水）特性を備えるものである。
なお、この図４の排水構造は、前記のように図２と図３の排水特性を併せ持つので、使用される各部材についてもほぼ同様の構成であるから、図面に同一符号を付して説明を省略する。
【００４５】
図示実施例におけるパネル材１Ｄ，１Ｄの左右方向の接続は、前記図１の実施例と同様に縦支持材８Ｄを用いて接続され、パネル材１Ｄ，１Ｄ間に跨るように逆ハット字状のカバー材６Ｄを固着具６１で縦支持材８Ｄに固定している。
また、パネル材１Ｄ，１Ｄの流れ方向の接続は、前記図２の実施例と同様に水上方向が開放する上方溝部３２と水下方向が開放する下方溝部３４とを備える横支持材３Ｄを用いて接続されている。
【００４６】
そして、図４（ａ）の左方側（水下側）に位置する一般構造は、前述のように下地面４と排水部８７Ｄとの間の空間Ｏに、最水上側のパネル９が配設されて位置し、防水シート４１を流れる雨水をパネル９上に導くことができ、この一般構造の屋根面に沿って水下側へ流下させることができる。また、横支持材３Ｄの裏面側にパネル９の端部表面に沿うように覆い材９ｒを取り付けて雨水の浸入を防止している。
また、図４（ｂ）の右方側に位置する一般構造では、下地４上に捨板９ｐが敷かれた上にパネル９が載置され、縦支持材８Ｄのパネル支持部８２及びパネル９の端部表面を覆うように覆い材９ｑを取り付けてビス等の固定具にて止め付けて雨水の浸入を防止する構造である。
【００４７】
この図４の排水構造は、前記図２の実施例と同様に縦支持材８Ｄの排水部８７Ｄが垂木である受座部材５Ｄにより下地面４より高く位置させているので、この下地面４と排水部８７Ｄとの間の空間Ｏに最水上側に位置するパネル９を容易に位置させることができる。すなわち排水部８７Ｄの水下端部を、水下側に隣接する水上側に位置するパネル９上に沿わせるので、排水部８７Ｄを流下する雨水等を確実に水下側に隣接する外装構造に導くことができる。
また、前記空間Ｏは、図示しないケーブルを通すための空間としても利用でき、左右方向に隣接するパネル材１Ｄ，１Ｄの太陽電池１０のケーブルを容易に接続することができる。
【００４８】
さらに、図４の排水構造は、前記図３の実施例と同様に、防水シート４１にて形成される排水部が形成され、この防水シート４１の水下側の端縁を持ち上げて最水上側に位置するパネル９を容易に位置させることができる。すなわち防水シート４１上を流下する雨水等を確実に水下側に隣接する外装構造に導くことができる。
【００４９】
図５に示す排水構造では、排水部材（７Ｅ）を用いる点では前記図１の実施例と共通するが、前記図１の実施例のように下地面４より高く位置させたものではないので、下地面４と排水部７１Ｅとの間の空間Ｏも形成されていない（空間Ｏを形成していない点では、前記図３の実施例と共通する）。
【００５０】
図示実施例におけるパネル材１Ｅ，１Ｅの流れ方向の接続は、前記図２〜４の実施例において用いた横支持材３Ｂ〜３Ｄとほぼ同様の構成を有する横支持材３Ｅを用いて接続されるが、この横支持材３Ｅは、複数部材を組み合わせてなる構成であり、脚部３６，３６を有するため、流水部３１Ｅが下地４から高く位置し、その端縁は前記排水部材７Ｅの排水部７１Ｅに連絡されている。図中３７は、脚部３６の下端に設けた固定部を下地４上に固定する固定具である。
【００５１】
また、図示実施例におけるパネル材１Ｅ，１Ｅの左右方向の接続は、図５（ｃ）に示すように裏面側に継手捨て板１４を、表面側に継手カバー１５を配して接続する構成であって、前記横支持材３Ｅ，３Ｅ間には、排水部材７Ｅが配設される構成である。
【００５２】
そして、図５（ａ）の左方側（水下側）に位置する一般構造は、前記排水部材７Ｅの裏面側に配設された排水用接続部材（捨て板）９ｖが、最水上側のパネル９上に沿うように配設され、排水部７１Ｅを流れる雨水をパネル９上に導くことができ、この一般構造の屋根面に沿って水下側へ流下させることができる。なお、横支持材３Ｅの水下側から延在してパネル９の端部表面に沿うように覆い材９ｗを取り付けて雨水の浸入を防止している。なお、図中、９ｘは、排水用接続部材９ｖ上に取り付けられて、覆い材９ｗを裏面から支持する支持材である。
また、図５（ｂ）の右方側に位置する一般構造では、桁端用排水部材７Ｅ'の側面、下段の支持材９ｕ表面、及び下地４を覆うように捨板９ｓが配設された上にパネル９が載置され、パネル１Ｅの側端、上段の支持材９ｕの表面、及びパネル９の端部表面を覆うように覆い材９ｔを取り付けてビス等の固定具にて止め付けて雨水の浸入を防止する構造である。
【００５３】
これらの構成を有する図５の排水構造は、排水部材７Ｅの排水部７１Ｅから排水用接続部材９ｖが雨水を最水上側に位置するパネル９上に導く役割を果たすため、排水部７１Ｅを流下する雨水等を確実に水下側に隣接する外装構造に導くことができる。
【００５４】
図６に示す排水構造では、前記図４の実施例と同様に、下地面４より高く位置させた排水部８７Ｆを縦支持材８７Ｆに設け、しかも下地４表面に敷設された防水シート４１により排水部が形成される例でもあり、二重の排水（防水）特性を備える。
前記図４の実施例では受座部材５Ｄを用いていたが、この図６の実施例では、縦支持材８７Ｆに脚部８８を設けることにより、排水部８７Ｆを下地面４より高く位置させた。なお、脚部８８の左右の下端から外方へ延在する固定部８９が下地面４上に沿い、固定具８９１にて固定されている。そして、空間Ｏを形成するために、この脚部８８の水下側を切り欠いている。
【００５５】
図示実施例におけるパネル材１Ｆ，１Ｆの左右方向の接続は、前記図４の実施例と同様に縦支持材８Ｆを用いて接続され、パネル材１Ｆ，１Ｆ間に跨るように平板状のカバー材６Ｆを固着具６１で縦支持材８Ｆに固定している。
また、パネル材１Ｆ，１Ｆの流れ方向の接続は、流水部３１Ｆから立ち上がる縦片３８１及びその高さの途中に流れ方向を向く横片３８２，３８２を備える横支持材３Ｆを用いて接続される。そして、パネル１Ｆ，１Ｆの水下端及び水上端を、前記横片３８２，３８２に支持させ、前記縦片３８１に突き合わせるように配すると共に、シリコーンゴムなどの弾性止水材３９を配して接続している。
【００５６】
そして、図６（ａ）の左方側（水下側）に位置する一般構造は、前述のように下地面４と排水部８７Ｆとの間の空間Ｏに、最水上側のパネル９が配設されて位置し、防水シート４１を流れる雨水をパネル９上に導くことができ、この一般構造の屋根面に沿って水下側へ流下させることができる。また、縦支持材８Ｆの水下端に略Ｌ字状の軒先金具９ｙを取り付け、更にこの軒先金具９ｙに係止状に、水下端縁がパネル９の端部表面に沿うように覆い材９ｚを取り付けて雨水の浸入を防止している。なお、この覆い材９ｚには、下方が開放する換気口９１が形成され、この換気口９１から吹き上げ風が、破線の大矢印で示すようにパネル材１Ｆの裏面側空間に侵入する。
また、図６（ｂ）の右方側に位置する一般構造では、縦支持材８Ｆの側面及び下地４上に略Ｌ字状の捨板９Aが固定され、該捨板９Aの上に支持材９B及びパネル９が載置され、それらの支持材９B及びパネル９を覆うように覆い材９Cを取り付け、カバー材６Ｆと共に固着具６１にて止め付けて雨水の浸入を防止する構造である。
【００５７】
また、図示実施例には、屋根下地４に設けた裏面側に貫通する通孔４０に、その開孔縁を覆うキャップ材２を嵌め付け、太陽エネルギー変換モジュール１０の配線１６を前記キャップ材２の開口部から通孔４０を通って下地４の裏面側へ引き込む配線引き込み構造を採用した。
前記キャップ材２は、前記通孔４０に嵌め付けられる筒部２１と、前記筒部２１の上縁から外側上方へ凸状に湾曲する湾曲部２２と、前記湾曲部２２の下端から延在して下地面４に沿う取付部２３とからなる構成である。
【００５８】
前記筒部２１は、屋根下地４に設けられた平面視円孔状の通孔４０に応じて略円筒状に成形されたものであり、その下縁は、僅かに拡開している。
なお、この筒部２１の上縁は、外側上方へ拡開しているが、この構成は、湾曲部１２として後述する。
前記湾曲部２２は、前記筒部２１の上縁から外側上方へ凸状に湾曲する曲面にて構成される。この凸状の頂部は、略擂り鉢状に形成される開口部の上端であるから開口縁２２１という。
前記取付部２３は、前記湾曲部２２の下端から延在して下地面４（防水シート４１）に沿っている。また、その際、シール材を介して取付部２３を防水シート材４１と接着するようにした。
【００５９】
この図６の排水構造は、前記図４の実施例と同様に縦支持材８Ｆの排水部８７Ｆが脚部８８により下地面４より高く位置させているので、この下地面４と排水部８７Ｆとの間の空間Ｏに最水上側に位置するパネル９を容易に配設することができる。すなわち排水部８７Ｆの水下端部を、水下側に隣接する水上側に位置するパネル９上に配設するので、排水部８７Ｆを流下する雨水等を確実に水下側に隣接する外装構造に導くことができる。
また、前記空間Ｏは、前述のように脚部８８の水下側を切り欠くことにより、図示しないケーブルを通すための空間としても利用でき、左右方向に隣接するパネル材１Ｆ，１Ｆの太陽電池１０のケーブルを容易に接続することができる。
【００６０】
また、この実施例では、前記キャップ材２を用いて配線１６を引き込むため、下地４に設けた通孔４０に対し、水下側に限らず四方（周囲）から配線１６を臨ませることができ、キャップ材２の湾曲部２２の凸状の頂部である開口縁２２１が取付部２３より上方に位置するため、下地面４に敷設された防水シート材４１上に雨水が浸入しても開口縁１２１から流入するのを防止することができる。
さらに、配線１６と接触する湾曲部２２は、曲面にて構成されているため、配線１６の摩擦による破断や損傷を生ずることがない。
そして、前述のように水下側に限らず四方（周囲）から配線２２を臨ませることができるため、少なくとも配線１６を水下側からのみに限定した場合に比べて使い勝手がよく、また通孔４０を穿設する数も少なくてよい。
また、図示実施例では、配線１６が、キャップ材２の湾曲部２２により上方へ凸状に屈曲されて配設されているので、配線１６に付着した結露水を通孔４０の外側へつたい落とすことができ、通孔４０の中への浸水を防止することができる。
【符号の説明】
【００６１】
１Ａ〜１Ｆ  パネル材
１０  太陽エネルギー変換モジュール（太陽電池）
１３  ジョイント材
２  キャップ材
２１  筒部
２２  湾曲部
２３  取付部
３Ａ〜３Ｆ  横支持材
３１Ａ〜３１Ｆ  流水部
３２  上方溝部
３３  弾性材
３４  下方溝部
３５  固定具
４  下地
４１  防水シート
５Ａ，５Ｂ，５Ｃ，５Ｄ  受座部材（縦桟材）
５１  固定具
６Ａ〜６Ｄ，６Ｆ  継手カバー材
７Ａ〜７Ｅ  排水部材
７１Ａ〜７１Ｅ  排水部
７２  隆起部
８Ａ〜８Ｆ  縦支持材
８１  連結部
８２  パネル支持部
８３  連結支持部
８３１  固定具
８４  連結部
８５  被支持片
８７Ｂ，８７Ｄ，８７Ｆ  排水部
９  （一般外装構造の）パネル
Ｏ  空間
【図１】
2010236270.tif 000003
【図２】
2010236270.tif 000004
【図３】
2010236270.tif 000005
【図４】
2010236270.tif 000006
【図５】
2010236270.tif 000007
【図６】
2010236270.tif 000008